(57)【要約】      （修正有）【課題】各人が所有する携帯電話を、入室前に保管することで、電子機器への悪影響防止や、カメラ付き携帯での情報漏洩防止をすることができる携帯電話収納用ボックスを提供する。【解決手段】略箱体状の収納本体Ｐと、該収納本体Ｐの内部に装着され携帯電話を収納する複数の収納ボックスＱとを設ける。各増設ユニットＱの前面に設けられた扉１の開閉を制御する制御装置１０を設ける。該制御装置１０を操作するコントロールパネルと、扉１の開閉状況を管理する制御用ＰＣ３０とを設ける。コントロールパネルは、収納ボックスＱ利用者のＩＣカードの認証を行うように設けられる。制御用ＰＣ３０によって、各収納ボックスＱの空き情報及び、各扉１の開閉時間や開閉操作した者の氏名をデータ管理するように設ける。【選択図】図２
0003114084.tif 000002
【実用新案登録請求の範囲】
【請求項１】
略箱体状の収納本体と、該収納本体の内部に装着され携帯電話を収納する複数の収納ボックスと、各収納ボックスの前面に設けられた扉の開閉を制御する制御装置と、該制御装置を操作するコントロールパネルと、扉の開閉状況を管理する制御用ＰＣと、を有し、コントロールパネルは、収納ボックス利用者のＩＣカードの認証を行うように設けられたことを特徴とする携帯電話収納用ボックス。
【請求項２】
前記収納ボックスは、前記収納本体の前面に設けられた本体扉に開穿した複数の取付窓に装着され、該本体扉の開閉に伴って、各収納ボックスが収納本体から取り出され又は収納されるように設けられた請求項１記載の携帯電話収納用ボックス。
【請求項３】
前記収納ボックスの内部に充電用のコンセントが設けられた請求項１又は２記載の携帯電話収納用ボックス。
【請求項４】
前記扉は、前記収納ボックスの一方にヒンジを介して揺動自在に連結され、他方を開閉端部として設けられ、該開閉端部がわに係止孔を開穿して収納ボックスから扉側に突出するラッチを係止せしめると共に、該ラッチと、扉開放時にラッチを係止孔から引き戻すソレノイドと、扉の開閉状況を感知するセンサーとを扉の開閉端部がわの収納ボックス内に設け、開放された扉を半開き状に保持するトーションバネを前記ヒンジに装着した請求項１乃至３いずれか記載の携帯電話収納用ボックス。
【請求項５】
前記制御用ＰＣは、各収納ボックスの空き情報及び、各扉の開閉時間と開閉操作した者の氏名とをデータ管理するように設けられた請求項１記載の携帯電話収納用ボックス。
【考案の詳細な説明】
【技術分野】
【０００１】
本考案は、たとえば工場や病院など、携帯電話の送受信で影響を受ける電子機器等が設置されている部屋や、開発室等の情報を保護する必要のある部屋等に入るに、携帯電話を一時預けることで、機器の保護や情報が漏れ出ないようにするために使用する携帯電話収納用ボックスに関する。
【背景技術】
【０００２】
携帯電話の送受信時に生じる電磁波の影響は、たとえばペースメーカー等の医療機器等の電子機器に悪影響を与える虞があることは周知の事実である。そのため、このような電子機器を扱う工場や病院などにおいて、各人所有の携帯電話の電源を切ることが義務付けられている。
【０００３】
また、カメラ付携帯電話の普及により、電磁波で影響を受ける電子機器を使用していない場所でも、重要な情報が簡単に撮影されてしまう虞がある。そこで、携帯電話の電源を切るだけでなく、入室前に各自の携帯電話を別の場所に預けておく必要性も生じている。
【０００４】
従来、小物等を収納するために構成された収納用のボックスとして、特許文献１に記載された収納ボックスや、特許文献２に記載された集合郵便受け箱などが提案されている。
【０００５】
特許文献１の収納ボックスには、有底箱状のボックス本体を高さ方向に積み重ねた状態の収納ボックスが記載されている。この収納ボックスは、室内等の床面積を狭くすることがなく、容易かつ安価に壁板の開口部内に装着できるようにしたものである。
【０００６】
特許文献２に記載の集合郵便受け箱では、マンション等の収納住宅において使用されるメールボックス内に、キー等の小物を入れて使用しても、メール投入口からその小物を容易に盗み出せないようにして、メールボックスの用途を拡大しようとするものである。
【特許文献１】特開２００１−１７３２２０号公報
【特許文献２】特許平１１−２５３２９８号公報
【考案の開示】
【考案が解決しようとする課題】
【０００７】
特許文献１に記載の収納ボックスでは、省スペース化を図って小物を収納するように設けているので、この収納ボックスに携帯電話を収納することも可能である。ところが、特許文献１で用いるボックス本体には、セキュリティ機能が備えられていないので、不特定多数の者が使用するには、不都合が生じる。
【０００８】
一方、特許文献２に記載の集合郵便受け箱には、収納したキー等を盗み出せないようにする機能は有しているが、やはり不特定多数のものが使用するには不都合が生じる。
【０００９】
また、重要な情報が簡単に撮影されてしまう虞がある場所などでは、その場所に出入りした者が携帯電話を確実に預けたという情報を管理する必要性も生じているが、従来の収納ボックスには、このような機能は備えられていなかった。
【００１０】
そこで、本考案は上述の課題を解消すべく案出されたもので、各人が所有する携帯電話を、入室前に保管することで、電子機器への悪影響を防止すると共に、カメラ付き携帯等での情報漏洩を防止することができる携帯電話収納用ボックスの提供を目的とするものである。
【課題を解決するための手段】
【００１１】
本考案の第１の手段は、略箱体状の収納本体Ｐと、該収納本体Ｐの内部に装着され携帯電話を収納する複数の収納ボックスＱと、各収納ボックスＱの前面に設けられた扉１の開閉を制御する制御装置１０と、該制御装置１０を操作するコントロールパネル２０と、扉１の開閉状況を管理する制御用ＰＣ３０と、を有し、コントロールパネル２０は、収納ボックスＱ利用者のＩＣカードの認証を行うように設けられている。
【００１２】
第２の手段において、前記収納ボックスＱは、前記収納本体Ｐの前面に設けられた本体扉Ｐ５に開穿した複数の取付窓Ｐ５ａに装着され、該本体扉Ｐ５の開閉に伴って、各収納ボックスＱが収納本体Ｐから取り出され又は収納されるように設けられたものである。
【００１３】
第３の手段は、前記収納ボックスＱの内部に充電用コンセントを設けたことにある。
【００１４】
第４の手段の前記扉１は、前記収納ボックスＱの一方にヒンジ８を介して揺動自在に連結され、他方を開閉端部として設けられ、該開閉端部がわに係止孔４を開穿して収納ボックスＱから扉１側に突出するラッチ３を係止せしめると共に、該ラッチ３と、扉１開放時にラッチ３を係止孔４から引き戻すソレノイド５と、扉１の開閉状況を感知するセンサー６とを扉１の開閉端部がわの収納ボックスＱ内に設け、開放された扉１を半開き状に保持するトーションバネ７を前記ヒンジ８に装着している。
【００１５】
第５の手段において、前記制御用ＰＣ３０によって、各収納ボックスの空き情報及び、各扉１の開閉時間と開閉操作した者の氏名とをデータ管理するように設けたことを課題解消のための手段とする。
【考案の効果】
【００１６】
本考案の請求項１により、各人が所有する携帯電話を、入室前に保管することで、電子機器への悪影響を防止すると共に、カメラ付き携帯での撮影を防止することができる。しかも、収納ボックスＱ利用者は、ＩＣカードを提示しなければ使用できないので、セキュリティも確保されている。
【００１７】
請求項２により、本体扉Ｐ５の開閉に伴って、各収納ボックスＱが収納本体Ｐから取り出され又は収納されるように設けられたことから、収納ボックスＱのメンテナンスが容易になり、多数の収納ボックスＱの利用が可能になる。
【００１８】
請求項３によると、収納ボックスＱ内に充電用のコンセント２を備えているので、本考案ボックスに収納しながら携帯電話に充電することも可能である。
【００１９】
請求項４では、各収納ボックスＱの扉１の開閉を制御装置１０が制御すると共に、開放された扉１は、トーションバネ７により、半開き状に保持されるので、扉１が全開状態となって見栄えを損ねるおそれがない。しかも、扉１が半開き状に保持されることで、各収納スペースの使用状況が目視で確認できる効果もある。
【００２０】
請求項５により、制御用ＰＣ３０が、各収収納ボックスＱの空き情報及び、各扉１の開閉時間と開閉操作した者の氏名とをデータ管理することで、極めて高度な管理が可能になる。
【００２１】
このように本考案によると、たとえば工場や病院、あるいは秘密を保持する必要性の高い開発室などに入室する際に、各人が所有する携帯電話を保管することで、電子機器への悪影響を防止すると共に、カメラ付き携帯での撮影を防止することができるなどといった有益な種々の効果を奏するものである。
【考案を実施するための最良の形態】
【００２２】
本考案の最良の形態は、略箱体状の収納本体Ｐと、該収納本体Ｐの内部に装着され携帯電話を収納する複数の収納ボックスＱとを設ける。各増設ユニットＱの前面に設けられた扉１の開閉を制御する制御装置１０を設ける。該制御装置１０を操作するコントロールパネル２０と、扉１の開閉状況を管理する制御用ＰＣ３０とを設ける。コントロールパネル２０は、収納ボックスＱ利用者のＩＣカードの認証を行うように設けられる。制御用ＰＣ３０は、各収納ボックスの空き情報及び、各扉１の開閉時間と開閉操作した者の氏名とをデータ管理するように設けられる。収納ボックスＱを、前記収納本体Ｐの前面に設けられた本体扉Ｐ５に開穿した複数の取付窓Ｐ５ａに装着する。収納ボックスＱの内部に充電用のコンセント２を設ける。扉１は、前記収納ボックスＱの一方にヒンジ８を介して揺動自在に連結され、他方を開閉端部として設けられている。該開閉端部がわの収納ボックスＱ内部に出没自在なラッチ３が設けられる。突出したラッチ３を係止せしめる係止孔４を扉１に設け、扉１開放時にラッチ３を係止孔４から引き戻すソレノイド５と、扉１の開閉状況を感知するセンサー６とを収納ボックスＱに設ける。開放された扉１を半開き状に保持するトーションバネ７を前記ヒンジ８に装着することで当初の目的を達成するものである。
【実施例】
【００２３】
本考案ボックスは、たとえば、工場や病院、あるいは秘密を保持する必要性の高い開発室などに入室する際に、各人が所有する携帯電話を保管する際に使用するものである。以下、図面を参照して本考案の実施例を詳細に説明する。
【００２４】
本考案は、収納本体Ｐの内部に収納ボックスＱを装着したものである（図２参照）。図示の収納本体Ｐは、略箱体状を成し、天板Ｐ１と底板Ｐ２と左右の側板Ｐ３と背面板Ｐ４と本体扉Ｐ５とを有している。そして、１７個の収納ボックスＱを収納本体Ｐに装着したものである（図１参照）。この収納ボックスＱの数は任意に設定できるもので、複数の収納本体Ｐを併設し、一つのコントロールパネル２０で制御するように設けることも可能である。
【００２５】
更に、収納本体Ｐには、制御装置１０、コントロールパネル２０、制御用ＰＣ３０を備えている（図１、図２参照）。制御装置１０は、収納ボックスＱの前面に設けられた扉１の開閉を制御する装置であり、コントロールパネル２０は、制御装置１０を操作すると共に、収納ボックスＱ利用者のＩＣカードの認証を行うように設けられている。更に、制御用ＰＣ３０は、扉１の開閉状況を管理し、各収納ボックスの空き情報及び、各扉１の開閉時間と開閉操作した者の氏名とをデータ管理するように設けられている。
【００２６】
収納ボックスＱは、内部に携帯電話を収納するもので、図示例では、上下左右の枠体Ｑ１と背板Ｑ２とで構成され、前面に扉１を開閉自在に装着している（図７、図８参照）。この収納ボックスＱは、収納本体Ｐの前面に設けられた本体扉Ｐ５に開穿した複数の取付窓Ｐ５ａに装着される（図３参照）。本体扉Ｐ５は、収納本体Ｐに開閉自在に装着されると共に、施錠装置Ｐ５ｂで収納本体Ｐに固定されている（図１参照）。この施錠装置Ｐ５ｂを解錠すると、本体扉Ｐ５が開閉自在になり、この本体扉Ｐ５の開閉に伴って、各収納ボックスＱが収納本体Ｐから取り出され又は収納されるように設けられている（図４参照）。
【００２７】
図８に示す収納ボックスＱの内部には、携帯電話に充電する充電用のコンセント２が設けられている。図示のコンセント２は、収納ボックスＱの背板Ｑ２に装着しているが、他の位置に装着することも可能である。
【００２８】
収納ボックスＱの扉１は、収納ボックスＱの一方にヒンジ８を介して揺動自在に連結され、他方を開閉端部として設けられ、該開閉端部がわに出没自在なラッチ３が設けられている（図５参照）。図示では、扉１が左右に開閉する構造を示しているが（図６参照）、これに限らず、扉１が上下に開閉するように設けることも可能である。
【００２９】
また、扉１に透明な窓１Ａを設けることで、施錠されている収納スペースに携帯電話が収納されているか否かを目視で確認することができる（図５参照）。図示の窓１Ａは、アクリル板を嵌め込んでいるが、この他、スリット状若しくはパンチング状等の透光孔（図示せず）を設けてもよく、窓１Ａのサイズも自由に変更することができる。
【００３０】
扉１の開放操作は制御装置１０と該制御装置１０を操作するコントロールパネル２０によって行う。収納ボックスＱの扉１開放端部がわ内部に、出没自在なラッチ３を設ける。一方、扉１には、このラッチ３を係止せしめる係止孔４を設ける（図６参照）。そして、扉１開放時にラッチ３を係止孔４から引き戻すソレノイド５と、扉１の開閉状況を感知するセンサー６とを収納ボックスＱ内に設けている（図７参照）。図示例ではセンサー６としてマイクロスイッチを使用しているが、このセンサー６は、他のスイッチ等を使用することも可能である。更に、開放された扉１を半開き状に保持するトーションバネ７を前記ヒンジ８に装着する（図６参照）。そして、このソレノイド５の制御を制御装置１０が行うものである。
【００３１】
一方、コントロールパネル２０は、この制御装置１０を操作するもので、収納ボックスＱ利用者のＩＣカードの認証確認や、扉１の開閉などの操作を一括して行うものである。図示のコントロールパネル２０は、収納本体Ｐの略中央にリーダ・ライタを設置して操作を容易にしている。この解錠操作は次のように行われる。まず、コントロールパネル２０にＩＣカードを認証させると、自動的に制御装置１０の制御によって、認証者が使用している扉１のソレノイド５に通電され、扉１の係止孔４に係止しているラッチ３を引き上げて係止孔４からラッチ３が外れる。続いて、ヒンジ８に設けたトーションバネ７の作用によって扉１が開け放たれる。更に、トーションバネ７の作用によって、扉１は半開きの状態に保持される。そこで、更に扉１を大きく開けて携帯電話を取り出すものである。扉１を閉じる際は、ラッチ３に設けた押圧ばね５Ａの作用でラッチ３が係止孔４に係止する。
【００３２】
制御用ＰＣ３０は、扉１の開閉状況を管理する。すなわち、この開閉状況とは、各収納ボックスＱの空き情報や、各扉１の開閉時間及び開閉操作した者の氏名などをデータ管理するように設けられている。次に、コントロールパネル２０と制御用ＰＣ３０を利用した本考案の出庫データ管理例を説明する。まず、ＩＣカードを読み取って、使用者を特定するユーザー認証を使用することが可能である。この場合、たとえば社内の者が使用する場合には新規にＩＤカードとして発行し、又は社員証として使っている既存のＩＤカードにサービスを追加して利用することもできる。このように出庫データを管理することで、誰がどの収納ボックスＱを何時に開閉したかが分かるようになる。また、ユーザー認証を使用せずに、暗証番号のみを使用することも可能である。すなわち、入館時、入室時等に受付でＩＣカードをもらって利用する。この場合、事前にユーザー登録する必要がないので、たとえば、不特定多数の公共施設のロッカーとして、携帯電話を一時預かりすることができる。また、ユーザー認証と暗証番号とを併用することで、セキュリティの高い使用が可能になる。
【００３３】
制御用ＰＣ３０が管理する収納ボックスＱの開閉履歴などのデータは、ジャーナルとして扱われる。このジャーナルは、ジャーナルの種類ごとに表示したり、ファイル出力したりすることができる。たとえば、操作ジャーナル、ボックスジャーナル、登録・設定ジャーナル、アラームジャーナル、トレースジャーナルなどを設定することができる。操作ジャーナルでは、ユーザー認証やパスワード変更、扉１の開閉時間などをデータ化する。このように、制御用ＰＣ３０が管理するデータは、任意に設定できるものである。
【００３４】
尚、本考案における図示例の各構成は、本考案の一実施例に過ぎず、収納本体Ｐや収納ボックスＱ、あるいは扉１の形状や寸法等の設計変更、材質の転換及び各構成部材の使用態様の変更など、本考案の要旨を変更しない範囲において自由に変更することができるものである。
【図面の簡単な説明】
【００３５】
【図１】本考案の一実施例を示す正面図である。
【図２】本考案の一実施例を示す側断面図である。
【図３】図１に示す矢視Ａ−Ａ’線を示す平断面図である。
【図４】本考案の本体扉を開放した状態を示す平面図である。
【図５】本考案の収納ボックスを示す要部断面図である。
【図６】本考案の扉の開放状態を示す平断面図である。
【図７】本考案のラッチとソレノイドの関係を示す側断面図である。
【図８】本考案収納ボックスにコンセントを設けた例を示す側面図である。
【符号の説明】
【００３６】
Ｐ  収納本体        Ｐ１  天板
Ｐ２  底板
Ｐ３  側板
Ｐ４  背面板
Ｐ５  本体扉    
Ｐ５ａ  取付窓
Ｐ５ｂ  施錠装置    
Ｑ  収納ボックス    Ｑ１  枠体
Ｑ２  背板
１  扉              １Ａ  窓
２  コンセント
３  ラッチ          
４  係止孔
５  ソレノイド      ５Ａ  押圧ばね
６  センサー
７  トーションバネ  
８  ヒンジ  
１０  制御装置
２０  コントロールパネル
３０  制御用ＰＣ
【図１】
0003114084.tif 000003
【図２】
0003114084.tif 000004
【図３】
0003114084.tif 000005
【図４】
0003114084.tif 000006
【図５】
0003114084.tif 000007
【図６】
0003114084.tif 000008
【図７】
0003114084.tif 000009
【図８】
0003114084.tif 000010